(57)【要約】【課題】患者に対して処方された薬剤等の薬を確実に配置することができる薬配置部等を提供すること。【解決手段】患者に処方する薬に関する医療処方情報に基づいて、当該薬を配置し、当該患者の医療処方情報である患者医療処方情報を記憶する患者医療処方情報記憶部３６と、薬配置部に配置された薬に設けられた当該薬の薬情報記憶部１４０に記憶されている前記医療処方情報を取得する薬情報取得部３００と、薬情報取得部から取得した医療処方情報と、患者医療処方情報記憶部の患者医療処方情報と比較して同一性を判断する医療処方情報判断処理部３２０を有する薬配置部３０。【選択図】図２
2012203844.tif 000002
【特許請求の範囲】
【請求項１】
患者に処方する薬に関する医療処方情報に基づいて、当該薬を配置する薬配置部であって、
当該患者の前記医療処方情報である患者医療処方情報を記憶する患者医療処方情報記憶部と、
前記薬配置部に配置された薬に設けられた当該薬の薬情報記憶部に記憶されている前記医療処方情報を取得する薬情報取得部と、
前記薬情報取得部から取得した前記医療処方情報と、前記患者医療処方情報記憶部の前記患者医療処方情報と比較して同一性を判断する医療処方情報判断処理部を有することを特徴とする薬配置部。
【請求項２】
前記薬の重量を計測する薬重量計測部を有し、
前記医療処方情報及び前記患者医療処方情報は、当該薬の重量に関する薬重量情報を有し、
前記医療処方情報判断処理部が、前記医療処方情報の当該薬の重量に関する薬重量情報と、前記患者医療処方情報記憶部の前記患者医療処方情報の前記薬重量情報とを比較して同一性を判断することを特徴とする請求項１に記載の薬配置部。
【請求項３】
前記医療処方情報及び前記患者医療処方情報は、前記薬の処方時刻情報を有し、
前記医療処方情報判断処理部が、前記医療処方情報の前記薬の処方時刻情報と、前記患者医療処方情報記憶部の前記患者医療処方情報前記薬の処方時刻情報とを比較して同一性を判断することを特徴とする請求項１又は請求項２に記載の薬配置部。
【請求項４】
前記薬情報記憶部が無線ＩＣ（半導体集積回路）タグで形成され、前記薬情報取得部が、前記無線ＩＣタグ内のデータを受信するリーダ装置から成ることを特徴とする請求項１乃至請求項３のいずれか１項に記載の薬配置部。
【請求項５】
前記医療処方情報を記憶する医療処方情報装置と、
前記薬配置部に前記薬を配置する薬関連従事者が所持する薬関連従事者端末と、
前記薬配置部と、を有する薬配置部管理システムであって、
前記薬関連従事者端末を所持した薬関連従事者が、前記医療処方情報装置と接触することで、前記医療処方情報装置から前記薬関連従事者端末へ、自動的に前記医療処方情報を取得でき、さらに、前記薬配置部と接触することで、自動的に前記薬関連従事者端末から前記薬配置部へ、自動的に前記医療処方情報を送信することができる構成となっていることを特徴とする請求項１乃至請求項４に記載の薬配置部管理システム。
【請求項６】
医療従事者が有する医療従事者端末と、
前記薬配置部を配置するラック部を有し、
前記ラック部及び/又は前記薬配置部は、点灯するランプ部を有し、
前記医療従事者端末を所持した医療従事者が、前記ラック部と接触することで、自動的に、前記薬配置部と通信することができると共に、前記医療従事者端末が有する前記医療処方情報に対応する前記患者医療処方情報を有する前記薬配置部及び／又は前記薬配置部の前記ランプ部が点灯する構成となっていることを特徴とする請求項５に記載の薬配置部管理システム。
【請求項７】
患者に処方する薬に関する医療処方情報に基づいて、当該薬を配置する薬配置部を用いる薬管理方法であって、
当該患者の前記医療処方情報である患者医療処方情報を記憶する患者医療処方情報記憶部と、
前記薬配置部に配置された薬に設けられた当該薬の薬情報記憶部に記憶されている前記医療処方情報を取得する薬情報取得部と、を有し、
制御部が、前記薬情報取得部から取得した前記医療処方情報と、前記患者医療処方情報記憶部の前記患者医療処方情報と比較して同一性を判断することを特徴とする薬管理方法。
【発明の詳細な説明】
【技術分野】
【０００１】
本発明は、例えば、患者等の治療に用いる薬剤を配置する薬配置部、薬配置部管理システム及び薬管理方法に関するものである。
【背景技術】
【０００２】
従来より、患者等の治療のために用いられる薬剤等は、医師の指示に基づいて処方され、これらは「カルテ」と呼ばれる。
このカルテを紙の状態で保管すると、取り扱いが不便等となるため、コンピュータを用いた電子カルテが提案されている。また、このような電子カルテのデータも通信等で、電子データとして取得し、この電子データを電子カルテに反映させるシステム等が提案されている（例えば、特許文献１）。
また、病院等では、このような「カルテ」に従い、薬剤師等が患者毎に処方する薬剤等の薬を薬配置部である例えば、薬剤トレー等に配置する。そして、看護師等が、この薬剤トレーと共に、薬剤を患者の元に運ぶ構成となっている。
【先行技術文献】
【特許文献】
【０００３】
【特許文献１】特開２０１１―２２９６９公報
【発明の概要】
【発明が解決しようとする課題】
【０００４】
このため、薬剤等は、薬剤トレー等に間違いなく配置される必要があり、その確認が薬剤師等にとって大きな負担となるという問題があった。
【０００５】
そこで、本発明は、患者に対して処方された薬剤等を確実に配置することができる薬配置部、薬配置部管理システム及び薬管理方法を提供することを目的とする。
【課題を解決するための手段】
【０００６】
上記目的は、本発明にあっては、患者に処方する薬に関する医療処方情報に基づいて、当該薬を配置する薬配置部であって、当該患者の前記医療処方情報である患者医療処方情報を記憶する患者医療処方情報記憶部と、前記薬配置部に配置された薬に設けられた当該薬の薬情報記憶部に記憶されている前記医療処方情報を取得する薬情報取得部と、前記薬情報取得部から取得した前記医療処方情報と、前記患者医療処方情報記憶部の前記患者医療処方情報と比較して同一性を判断する医療処方情報判断処理部を有することを特徴とする薬配置部により達成される。
【０００７】
前記構成によれば、薬情報取得部から取得した医療処方情報と、患者医療処方情報記憶部の患者医療処方情報と比較して同一性を判断する医療処方情報判断処理部を有する。
このため、例えば、薬剤トレー等の薬配置部に薬剤師等が配置した薬が，当該薬剤トレーに記憶された当該患者の処方薬剤等の患者医療処方情報と合致しているか否か、すなわち、薬配置部に載せた薬が間違っているか否かを迅速且つ正確に判断することができる。
したがって、患者に対して処方された薬剤等の薬を確実に配置することができる薬配置部となる。
【０００８】
好ましくは、前記薬の重量を計測する薬重量計測部を有し、前記医療処方情報及び前記患者医療処方情報は、当該薬の重量に関する薬重量情報を有し、前記医療処方情報判断処理部が、前記医療処方情報の当該薬の重量に関する薬重量情報と、前記患者医療処方情報記憶部の前記患者医療処方情報の前記薬重量情報とを比較して同一性を判断することを特徴とする。
【０００９】
前記構成によれば、医療処方情報判断処理部が、医療処方情報の当該薬の重量に関する薬重量情報と、患者医療処方情報記憶部の患者医療処方情報の薬重量情報とを比較して同一性を判断する。
このため、薬剤トレー等の薬配置部に配置される薬の種類だけでなく、その処方における重量の適否も確認できる。したがって、精度の高い薬の配置を迅速に行うことができる。
【００１０】
好ましくは、前記医療処方情報及び前記患者医療処方情報は、前記薬の処方時刻情報を有し、前記医療処方情報判断処理部が、前記医療処方情報の前記薬の処方時刻情報と、前記患者医療処方情報記憶部の前記患者医療処方情報前記薬の処方時刻情報とを比較して同一性を判断することを特徴とする。
【００１１】
前記構成によれば、医療処方情報判断処理部が、医療処方情報の薬の処方時刻情報と、患者医療処方情報記憶部の患者医療処方情報前記薬の処方時刻情報とを比較して同一性を判断する。
このため、薬剤トレー等の薬配置部に配置される薬の種類だけでなく、その処方の日等の処方時刻の適否も確認できる。したがって、処方日の間違い等も迅速に判断でき、精度の高い薬の配置を迅速に行うことができる。
【００１２】
好ましくは、前記薬情報記憶部が無線ＩＣ（半導体集積回路）タグで形成され、前記薬情報取得部が、前記無線ＩＣタグ内のデータを受信するリーダ装置から成ることを特徴とする。
【００１３】
好ましくは、前記医療処方情報を記憶する医療処方情報装置と、前記薬配置部に前記薬を配置する薬関連従事者が所持する薬関連従事者端末と、前記薬配置部と、を有する薬配置部管理システムであって、前記薬関連従事者端末を所持した薬関連従事者が、前記医療処方情報装置と接触することで、前記医療処方情報装置から前記薬関連従事者端末へ、自動的に前記医療処方情報を取得でき、さらに、前記薬配置部と接触することで、自動的に前記薬関連従事者端末から前記薬配置部へ、自動的に前記医療処方情報を送信することができる構成となっていることを特徴とする。
【００１４】
前記構成によれば、薬関連従事者端末を所持した薬関連従事者が、医療処方情報装置と接触することで、医療処方情報装置から薬関連従事者端末へ、自動的に医療処方情報を取得でき、さらに、薬配置部と接触することで、自動的に薬関連従事者端末から薬配置部へ、自動的に医療処方情報を送信することができる構成となっている。
このため、薬剤師等の薬関連従事者は、薬関連従業者端末を所持した状態で、電子カルテ等の医療処方情報装置に触れるだけで、医療処方情報を取得することができる。
このため、従来のように薬剤師等がコンピュータ等を操作する必要がないので、薬剤師等の負担が軽減されることとなる。
【００１５】
また、薬剤師等は、医療処方情報を自己の薬関連従事者端末に自動的に取得でき、さらに、自動的に医療処方情報を薬配置部に送信することができるので、薬剤師等の薬関連従事者は間違いなく、迅速且つ確実に患者の医療処方情報を、当該患者の薬剤トレー等である薬配置部に記憶させることができる。
したがって、薬剤師等の負担を著しく軽減させることができる。さらに、前記構成は、新たなシステムを構築させる必要がないため、薬剤師等の薬関連従事者の負担を低コストで軽減することもできる。
【００１６】
好ましくは、医療従事者が有する医療従事者端末と、前記薬配置部を配置するラック部を有し、前記ラック部及び／又は前記薬配置部は、点灯するランプ部を有し、前記医療従事者端末を所持した医療従事者が、前記ラック部と接触することで、自動的に、前記薬配置部と通信することができると共に、前記医療従事者端末が有する前記医療処方情報に対応する前記患者医療処方情報を有する前記薬配置部及び／又は前記薬配置部の前記ランプ部が点灯する構成となっていることを特徴とする。
【００１７】
前記構成によれば、医療従事者端末を所持した医療従事者が、ラック部と接触することで、自動的に、薬配置部と通信することができると共に、医療従事者端末が有する医療処方情報に対応する患者医療処方情報を有する薬配置部及び／又は前記薬配置部の前記ランプ部が点灯する構成となっている。
このため、看護師等の医療従事者がラックに触れるだけで、所望の患者の薬剤トレー等である薬配置部を見つけることができるので、極めて迅速に薬配置部を患者の元へ運ぶことができ、看護師等の負担を軽減させることができる。
【００１８】
上記目的は、本発明にあっては、患者に処方する薬に関する医療処方情報に基づいて、当該薬を配置する薬配置部を用いる薬管理方法であって、当該患者の前記医療処方情報である患者医療処方情報を記憶する患者医療処方情報記憶部と、前記薬配置部に配置された薬に設けられた当該薬の薬情報記憶部に記憶されている前記医療処方情報を取得する薬情報取得部と、を有し、制御部が、前記薬情報取得部から取得した前記医療処方情報と、前記患者医療処方情報記憶部の前記患者医療処方情報と比較して同一性を判断することを特徴とする薬管理方法により達成される。
【発明の効果】
【００１９】
以上説明したように、本発明によれば、患者に対して処方された薬剤等の薬を確実に配置することができる薬配置部、薬配置部管理システム及び薬管理方法を提供することができる。
【図面の簡単な説明】
【００２０】
【図１】本発明の薬配置部管理システムである例えば、薬剤トレー管理システムを示す概略図である。
【図２】薬剤トレーを示す概略斜視図である。
【図３】薬剤ケースを示す概略斜視図である。
【図４】ラックと薬剤トレー等を示す概略図である。
【図５】薬剤師端末と電子カルテ装置を例とした人体通信の概略説明図である。
【図６】図１の薬剤師端末の主な構成を示す概略ブロック図である。
【図７】薬剤ＩＣタグの主な構成を示す概略ブロック図である。
【図８】図１の電子カルテ装置及び看護師端末の主な構成を示す概略ブロック図である。
【図９】図１の薬剤トレーの主な構成を示す概略ブロック図である。
【図１０】図１の患者端末の主な構成を示す概略ブロック図である。
【図１１】図１の輸液ポンプの主な構成を示す概略ブロック図である。
【図１２】図１の薬剤師端末が、電子カルテ装置からオーダー情報を取得等する工程を示す概略フローチャートである。
【図１３】薬剤トレー選択工程を示す概略フローチャートである。
【図１４】薬剤トレー選択工程を示す他の概略フローチャートである。
【図１５】図１の看護師端末が、電子カルテ装置からオーダー情報を取得等する工程を示す概略フローチャートである。
【図１６】薬剤トレー選択工程を示す概略フローチャートである。
【発明を実施するための形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明の薬配置部管理システムである例えば、薬剤トレー管理システム１を示す概略図である。
薬剤トレー管理システム１は、図１に示すように、病院の薬局等で働く薬関連従事者である例えば、薬剤師甲が所持等する薬関連従事者端末である例えば、薬剤師端末１１０を有する。
また、薬剤トレー管理システム１は、患者のための医療処方情報である例えば、オーダー情報（薬剤等処方データ）を含む電子カルテを蓄積する電子カルテ装置１０（医療処方情報装置の一例）を有している。
この電子カルテは、例えば、患者の識別番号毎に電子カルテ装置１０内に蓄積され、電子カルテ装置１０は、例えば、パーソナルコンピュータ（ＰＣ）等となっている。
【００２３】
また、図１の薬剤トレー管理システム１は、上述のオーダー情報に従い、当該患者に処方すべき薬剤等を配置する薬剤配置部である例えば、薬剤トレー３０を有している。
図２は、薬剤トレー３０を示す概略斜視図である。図２に示すように、薬剤トレー３０は、上側が開放した箱形を成しており、その中に後述する薬剤ケース１３０に覆われた薬である薬剤を収容するための例えば、４つの薬剤配置領域３１０ａ、３１０ｂ、３１０ｃ、３１０ｄが形成されている。
【００２４】
図３は、薬剤ケース１３０を示す概略斜視図である。図３に示すように、その中に薬剤が収容されている薬剤ケース１３０の外面には、薬情報記憶部である例えば、薬剤ＩＣタグ１４０が設けられている。
この薬剤ＩＣタグ１４０は、無線ＩＣ（半導体集積回路）タグであり、図２の薬剤トレー３０に形成されている薬情報取得部である例えば、ＩＣタグリーダ３００と通信可能な構成となっている。
このＩＣタグリーダ３００は、図２に示すように、薬剤トレー３０の四方に起立して配置されているトレー壁部３１１の例えば、２つの長手方向（矢印Ｘ１及びＸ２方向）に沿って、移動可能に形成されている。
このため、図２の薬剤配置領域３１０ａ等に図３の薬剤ケース１３０が配置されると、薬剤トレー３０のＩＣタグリーダ３００が、薬剤ケース１３０の表面に配置されている薬剤ＩＣタグ１４０と通信を行うことができる構成となっている。
【００２５】
ところで、図３の薬剤ＩＣタグ１４０には、薬剤ケース１３０に収容されている薬剤の薬剤名や薬重量情報である薬剤重量等のデータが格納されている。
したがって、薬剤トレー３０は、ＩＣタグリーダ３００により、薬剤ＩＣタグ１４０内の薬剤名等のデータを取得することができる構成となっている。
【００２６】
また、図２に示す薬剤トレー３０の薬剤配置領域３１０ａ等には、薬重量計測部である例えば、重量センサ３１２が配置され、それぞれ、薬剤配置領域３１０ａ等に配置された薬剤ケース１３０の重量を計測することができる構成となっている。
なお、薬剤トレー３０の短手方向のトレー壁部３１１には、点灯するランプ部である例えば、ＬＥＤ等から成るランプ３１３が形成されている
そして、図２に示す薬剤トレー３０は、図４に示すように、金属製のラック部であるラック４００に配置される。図４は、ラック４００と薬剤トレー３０等を示す概略図である。
【００２７】
また、図１の薬剤トレー管理システム１は、病院の患者が所持する患者端末５０を有すると共に、患者の治療に用いる医療機器である例えば、輸液ポンプ７０を有している。
この輸液ポンプ７０は、患者等の側の点滴等に配置され、薬液等の点滴液を患者等へ供給する際、制御することが可能な構成となっている。
具体的には、輸液ポンプ１０は、弾力が高く自己拡張性のある輸液チューブを使用し、これを機械に挟み込んでローラーで押すことにより予め設定された薬液を患者に提供する構成となっている。
【００２８】
さらに、薬剤トレー管理システム１は、患者の処置等を行う医療従事者である例えば、看護師が所持する医療従事者端末である例えば、看護師端末９０も備えている。
このうち、薬剤師端末１１０、患者端末５０及び看護師端末９０は、それぞれ、人が所持するため例えば、腕時計型となっており、患者や看護師は、その腕に配置することが可能な構成となっている。
なお、これら薬剤師端末１１０、患者端末５０及び看護師端末９０は、腕時計型に限らず、携帯電話型、Ｂ５（Ａ４）ノート型、メガネ型、アクセサリー型（ネックレス、ピアス）、ペン型、ベルト型、ベルト装着型（歩数計、活動量計等）等であってもよい。
【００２９】
そして、これら薬剤師端末１１０、電子カルテ装置１０、薬剤トレー３０、患者端末５０、輸液ポンプ７０及び看護師端末９０は、それぞれ、薬剤師端末１１１、電子カルテ側通信装置１１、薬剤トレー側通信装置３１、患者側通信装置５１、輸液ポンプ側通信装置７１及び看護師側通信装置９１を有し、相互に通信可能な構成となり、この通信は、所謂、人体通信方式となっている。
これら各通信装置は、それぞれ、送信機能と受信機能を共に有してもよく、また、それぞれの役割に応じて、いずれか一方のみの機能を有する構成としてもよい。
【００３０】
この人体通信方式は、人の体に微弱な電流等を流すことで行われる通信であり、専用の装置を装着した人が他の同様の装置を装着した人等に触れることで通信が可能となる方式である。また、人体通信方式は、通信に際し、電流を流す場合と電界を発生させる場合があり、それぞれ、電流方式、電界方式と呼ばれる。
電流方式の場合は、人体の表面に数百マイクロアンペアの電流を流すことで通信を行う。実施の形態では、電流方式の人体通信方式を例に以下、説明する
【００３１】
図５は、薬剤師端末１１０と電子カルテ装置１０を例とした人体通信の概略説明図である。
人体通信は、薬剤師端末１１０と電子カルテ装置１０だけでなく、図１に示すように、薬剤師端末１１０や看護師端末９０と薬剤トレー３０、看護師患者端末５０及び輸液ポンプ７０等との間でも行うことができるが、図５では、薬剤師端末１１０と電子カルテ装置１０を例に、本実施の形態における人体通信を説明する。
【００３２】
図５に示すように、薬剤師端末１１０を有する薬剤師甲が、電子カルテ装置１０であるＰＣの筐体等に接触すると、薬剤師甲の腕に配置されている薬剤師端末１１０の薬剤師側通信装置１１１は、薬剤師甲の人体及び電子カルテ装置１０の筐体等を介して、電子カルテ装置１０の電子カルテ側通信装置１１と電気的に通信可能となる。
【００３３】
すなわち、図５の電流Ｅは、薬剤師端末１１０から薬剤師甲の人体上を流れ、電子カルテ装置１０の電子カルテ側通信装置１１に到達することになり、この電流の流れにより、通信が可能となる。
また、本実施の形態では、薬剤師側通信装置１１１は、薬剤師甲が電子カルテ装置１０に触れるだけで、電子カルテ側通信装置１１と通信可能となり、逆に、薬剤師甲が電子カルテ装置１０から手等を離すことで、通信が終了する。
【００３４】
この点、従来は、薬剤師が電子カルテ装置であるＰＣを操作して、患者の薬剤等処方データ（カルテ）を取得していたため、操作が煩雑で、操作間違い等が発生するおそれがあった。
本実施の形態では、図５に示すように、薬剤師甲が電子カルテ装置１０に触れるだけで通信をし、例えば、患者のカルテ情報の取得等をすることができるので、薬剤師等に負担がかからず、カルテの取り違い等も生じない構成となっている。
【００３５】
図１に示す、薬剤師端末１１０、電子カルテ装置１０、薬剤トレー３０、患者端末５０、輸液ポンプ７０及び看護師端末９０等は、それぞれ、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、バスを介して接続されている。
【００３６】
図６は、図１の薬剤師端末１１０の主な構成を示す概略ブロック図である。
図６に示すように、薬剤師端末１１０は、薬剤師端末制御部１１２を有し、上述の薬剤師側通信装置１１１、薬剤師端末表示装置１１６及び各種データを入力する薬剤師端末入力装置１１３等を有し、これらは薬剤師端末制御部１１２で制御されている。なお、図６の薬剤師端末１１０の記憶部等については、後述する。
【００３７】
図７は、薬剤ＩＣタグ１４０の主な構成を示す概略ブロック図である。
図７に示すように。薬剤ＩＣタグ１４０は、薬剤ＩＣタグ制御部１４１を有し、上述の薬剤トレー３０のＩＣタグリーダ３００と通信する薬剤ＩＣタグ側通信装置１４２を有している。
【００３８】
図８は、図１の電子カルテ装置１０及び看護師端末９０の主な構成を示す概略ブロック図である。
図８に示すように、電子カルテ装置１０は、電子カルテ制御部１２を有する。また、電子カルテ装置１０は、上述の電子カルテ側通信装置１１、情報を入力するための電子カルテ入力装置１３及び情報を表示するための電子カルテ表示装置１４等を有し、これらは、電子カルテ制御部１２で制御されている。
なお、図８の電子カルテ装置１０の記憶部や処理部等については、後述する。
【００３９】
図８の看護師端末９０は、看護師端末制御部９２を有する。また、看護師端末９０は、上述の看護師側通信装置９１、看護師端末入力装置９３、看護師端末表示装置９４等を有し、これらは、看護師端末制御部９２で制御されている。
なお、図８の看護師端末９０の記憶部等については、後述する。
【００４０】
図９は、図１の薬剤トレー３０の主な構成を示す概略ブロック図である。
図９に示すように、薬剤トレー３０は、薬剤トレー制御部３２を有する。また、薬剤トレー３０は、上述の重量センサ３１２、薬剤トレー側通信装置３１、薬剤トレー入力装置３３、薬剤トレー側表示装置３１４、ランプ３１３及びＩＣタグリーダ３００等を有し、これらは、薬剤トレー制御部３２で制御されている。
なお、図９の薬剤トレー３０の記憶部や処理部等については、後述する。
【００４１】
図１０は、図１の患者端末５０の主な構成を示す概略ブロック図である。
図１０に示すように、患者端末５０は、患者端末制御部５２を有する。また、患者端末５０は、上述の患者側通信装置５１を有し、これは、患者端末制御部５２で制御されている。
【００４２】
図１１は、図１の輸液ポンプ７０の主な構成を示す概略ブロック図である。
図１１に示すように、輸液ポンプ７０は、輸液ポンプ制御部７２を有している。また、輸液ポンプ７０は、上述の輸液ポンプ側通信装置７１及び輸液ポンプ本来の機能を発揮する部分である輸液ポンプ本体７５等を有し、これらは、輸液ポンプ制御部７２で制御されている。
【００４３】
図１２乃至図１６は、本実施の形態にかかる薬剤トレー管理システム１の主な動作等を示す概略フローチャートである。
本実施の形態では、薬剤師甲が、電子カルテ装置１０から自己の担当の患者のオーダー情報（医薬処方情報及び患者医療処方情報の一例）を取得し、その後、薬剤師甲が、図２の薬剤トレー３０に触れると、このオーダー情報が薬剤トレー３０へ送信、記憶される。その後、看護師乙が図１に示す看護師端末９０を所持し、電子カルテ装置１０から自己の担当の患者のオーダー情報を取得し、その後、薬剤トレー３０を、当該患者の元で運び、患者を確認して、輸液ポンプ７０を動作させるという一連の動作を例に以下、説明する。
また、この例を説明するにあたり、図１２乃至図１６のフローチャートに沿って説明すると共に、図１乃至図５の記憶部や処理部等についても説明する。
【００４４】
図１２は、図１の薬剤師端末１１０が、電子カルテ装置１０からオーダー情報を取得等する工程を示す概略フローチャートである。
先ず、薬剤師甲は、図１の薬剤師端末１１０を腕等に装着して、電子カルテ装置１０の筐体等に、その手等を触れる。
すると、図５に示すように、薬剤師側通信端末１１１と電子カルテ側通信装置１１との間に、人体通信が行われ、薬剤師端末１１０から電子カルテ装置１０に、オーダー情報取得要求を送信する。
なお、この際、薬剤師端末１１０は、図６の薬剤師識別番号記憶部１１４内に記憶されている自己の薬剤師識別番号を電子カルテ装置１０へ送信する。
次いで、ＳＴ１で、電子カルテ装置１０は、薬剤師端末１１０からオーダー情報取得要求が送信されたか否かを判断する。
【００４５】
ＳＴ１で、電子カルテ装置１０が薬剤師端末１１０からのオーダー情報取得要求を受信したと判断した場合は、ＳＴ２へ進む。
ＳＴ２では、図８の電子カルテ装置１０のオーダー情報検索決定処理部（プログラム）１５が、オーダー情報記憶部１６を参照して、当該薬剤師端末１１０の薬剤師の薬剤師識別番号と関連付いているオーダー情報が存在するか否かを探す。
ところで、図８の電子カルテ装置１０のオーダー情報記憶部１６内では、患者毎の薬剤等処方データであるオーダー情報が、担当薬剤師の薬剤師識別番号と関連付けて記憶されている。
このため、ＳＴ２で、電子カルテ装置１０は、アクセスしてきた当該薬剤師の薬剤師識別番号から、当該薬剤師が担当する患者のオーダー情報が存在する否かを容易に判断することができる。
【００４６】
なお、「オーダー情報」には、処方された薬剤名、処方日（処方時刻情報の一例）、重量情報、医師識別番号、患者識別番号、薬剤師識別番号、看護師識別番号等が含まれている。
また、処方日については、処方する年・月・日、さらには必要に応じて処方する時間の情報が含まれていることが好ましい。
ＳＴ２で、図８のオーダー情報記憶部１６内に、当該薬剤師識別番号と関連付けられているオーダー情報があった場合は、ＳＴ３へ進む。
【００４７】
ＳＴ３では、電子カルテ装置１０が、薬剤師端末１１０に、当該薬剤師識別番号と関連付けられている患者のオーダー情報を送信する。
したがって、薬剤師甲は、自己が担当する患者のオーダー情報のみを効率的に、自己の薬剤師端末１１０に取得することができる。また、このオーダー情報は自動的に且つ間違いなく送信されるので、極めて信頼性の高い情報となる。
【００４８】
一方、ＳＴ２で、図８のオーダー情報記録部１６には、当該薬剤師の薬剤師識別番号と関連付けられているオーダー情報が存在しない場合は、ＳＴ４へ進む。
すなわち、電子カルテ装置１０は、図８のオーダー情報記憶部１６内のオーダー情報のうち、いずれの薬剤師識別番号とも関連付けられていないオーダー情報を選択し、薬剤師端末９０へ送信する。
したがって、薬剤師甲は、自己が担当する患者のオーダー情報に近い情報を、選択的して薬剤師端末１１０に取得することができることになり、自己の担当の患者のオーダー情報を探し易くなる。これは、薬剤師甲の負担を権限させることができる。
【００４９】
次いで、ＳＴ５へ進む。ＳＴ５では、薬剤師端末１１０が、電子カルテ装置１０から送信されたオーダー情報を図６の薬剤師側オーダー情報記憶部１１５に記憶すると共に、図６の薬剤師端末表示装置１１６に表示する。
次いで、ＳＴ６へ進む。ＳＴ６では、図６の薬剤師端末１１０の薬剤師側オーダー情報選択処理部（プログラム）１１７が動作し、薬剤師甲が図６の薬剤師端末入力装置１１３で、薬剤師端末表示装置１１６に表示されているオーダー情報から特定の患者のオーダー情報を選択したか否かを判断する。
【００５０】
ＳＴ６で、薬剤師端末入力装置１１３で、オーダー情報が選択されると、ＳＴ７へ進む。ＳＴ７では、薬剤師端末入力装置１１３で選択された選択オーダー情報（処方された薬剤名、処方日、薬剤重量、医師識別番号、患者識別番号、薬剤師識別番号、看護師識別番号等）が，図３の薬剤師端末１１０の選択済み薬剤師側オーダー情報記憶部１１８に記憶される。
【００５１】
以上で、図１２の工程が終了するが、この図１２の工程では、薬剤師端末１１０が、電子カルテ装置１０から簡易且つ正確に、所望の患者のオーダー情報を迅速に取得することができる。
また、従来は、電子カルテ装置からオーダー情報を取得するには、コンピュータの操作をマスターする必要があり、薬剤師に負担を強いていた。この点、本実施の形態では、薬剤師は、電子カルテ装置１０に接触するだけで、必要がオーダー情報を取得することができるので、極めて使い易い薬剤トレー管理システム１となっている。
【００５２】
図１３は、薬剤トレー選択工程を示す概略フローチャートである。
図１２の工程で、自己が担当する所望の患者のオーダー情報を自己の薬剤師端末１１０に取得した薬剤師甲は、次に、この患者のためのオーダー情報に従い、図２の薬剤トレー３０上に、オーダー情報に対応する薬剤の薬剤ケース１３０を配置することになる。
【００５３】
先ず、薬剤師端末１１０を所持した薬剤師甲が、薬剤トレー３０に接触する。すると、ＳＴ１１で、薬剤トレー３０の薬剤トレー側通信装置３１と薬剤師側通信装置１１１は人体通信で、通信状態となる。
そして、ＳＴ１１では、薬剤トレー３０が、薬剤師端末１１０の看護師識別番号記憶部１１４内の薬剤師識別番号を受信したか否かを判断する。
【００５４】
ＳＴ１１で、薬剤師識別番号を取得すると、ＳＴ１２へ進む。ＳＴ１２では、図９の薬剤トレー３０の薬剤師識別番号判定処理部（プログラム）３１５が動作し、受信した薬剤師識別番号と、図９の薬剤師識別番号一覧情報記憶部３１６内に記憶されている薬剤師識別番号を比較し、受信した薬剤師識別番号が、薬剤師識別番号一覧情報記憶部３１６の看護師識別番号に含まれているか否かを判断する。
【００５５】
この薬剤師識別番号一覧情報記憶部３１６には、薬剤トレー３０に薬剤ケース１３０等を配置する権限を有する薬剤師の薬剤師識別番号が登録されている。
したがって、ＳＴ１２で、受信した薬剤師識別番号が、薬剤師識別番号一覧情報記憶部３１６の薬剤師識別番号に含まれている場合は、権限を有する者であると判断することができる。
【００５６】
このように、本実施の形態では、薬剤トレー３０の操作権限がない者による薬剤トレー３０の操作を未然に防止し、事故等の発生を未然に防止することができる構成となっている。
【００５７】
ＳＴ１２で、受信した薬剤師識別番号が、薬剤師識別番号一覧情報記憶部３１６の薬剤師識別番号に含まれている場合は、ＳＴ１３へ進む。ＳＴ１３では、薬剤トレー３０が薬剤師端末３０に、オーダー情報の送信を要求する。
そして、ＳＴ１４で、薬剤師端末１１０が、図６の選択済み薬剤師側オーダー情報記憶部１１８内のオーダー情報を、薬剤トレー３０へ送信する。
【００５８】
次いで、ＳＴ１５へ進む。ＳＴ１５では、図９の患者識別番号判定処理部（プログラム）３１７が動作し、ＳＴ１４で受信したオーダー情報の「患者識別番号」が、図９の薬剤トレー３０の薬剤トレー側既登録患者識別番号記憶部３１８内の「患者識別番号」と一致するか否かを判断する。
【００５９】
この薬剤トレー側既登録患者識別番号記憶部３１８は、当該薬剤トレー３０を使用する患者の「患者識別番号」が記憶されている。
したがって、ＳＴ１５で、「患者識別番号」の比較をし、一致した場合は、正しい患者のオーダー情報と判断する。
【００６０】
このように、本実施の形態では、薬剤師甲が薬剤トレー３０に接触するだけで、当該薬剤師が当該薬剤トレー３０の操作権限があるか否かを判断できる。
さらに、薬剤師甲の薬剤師端末１１０の有する「オーダー情報」の患者情報が、当該薬剤トレー３０を使用する患者情報と一致するか否かも判断できるので、薬剤師甲が間違って、当該患者とは異なる患者用の薬剤トレー３０に、オーダー情報を提供するという事態の発生を未然に防ぐことができる。
【００６１】
図１３のＳＴ１５で、「患者識別番号」が一致した場合は、ＳＴ１６へ進む。ＳＴ１６では、薬剤トレー３０は、図６の薬剤師端末１１０の選択済み薬剤師側オーダー情報記憶部１１８内の選択オーダー情報（処方された薬剤名、処方日、薬剤重量、医師識別番号、患者識別番号、薬剤師識別番号、看護師識別番号等）が、図９の当該薬剤トレー用オーダー情報記憶部３６（患者医療処方情報記憶部の一例）に記憶される。
このように、本実施の形態では、薬剤師甲は、薬剤トレー３０に接触するだけで、薬剤トレー３０に「オーダー情報」を送信できるので、看護師甲等の負担を著しく軽減することができる。
【００６２】
次いで、ＳＴ１７へ進む。ＳＴ１７では、図２の薬剤トレー３０の重量センサ３１２が薬剤ケース１３０の重量を検知したか否かが判断される。
これは、薬剤師甲が、当該薬剤トレー３０の図２の薬剤配置領域３１０ａ等に、当該薬剤トレー３０の患者用に薬剤ケース１３０を配置したことを検知する意味も有する。
【００６３】
ＳＴ１７で、重量センサ３１２が、薬剤ケース１３０の重量を検知した場合、ＳＴ１８へ進む。ＳＴ１８では、図２の薬剤トレー３０のＩＣタグリーダ３００が矢印Ｘ１及びＸ２へ移動し、薬剤トレー３０の薬剤配置領域３１０ａ等に配置された薬剤ケース１３０に配置されている図３の薬剤ＩＣタグ１４０と通信し、薬剤ＩＣタグ１４０内の薬剤データ（薬剤名、薬剤重量等）を取得する。そして、図９の薬剤トレー側薬剤ＩＣタグ情報記憶部３１９に記憶する・
このような動作は、図９の薬剤判断処理部（プログラム）３２０が実行する。
【００６４】
次いで、ＳＴ１９へ進む。ＳＴ１９では、医療処方情報判断処理部である図９の薬剤判断処理部（プログラム）３２０が動作し、薬剤トレー側薬剤ＩＣタグ情報記憶部３１９内の薬剤ケース１３０内の薬剤データと、図９の当該薬剤トレー用オーダー情報記憶部３６内の薬剤師端末１１０から取得した（選択）オーダー情報とを比較して、薬剤ケース１３０の薬剤データが正しいか否かを判断する。
このとき、オーダー情報には、薬剤名情報だけでなく、その薬剤の重量や処方日情報も有するため、薬剤名が正しいか否かのみならず、薬剤トレー３０上の薬剤ケース１３０の重量の可否や、処方日の可否も判断することができる構成となっている。
【００６５】
次いで、ＳＴ１９で、薬剤ケース１３０側のデータが，オーダー情報と一致しない場合は、薬剤師甲が薬剤トレー３０に配置した薬剤ケース１３０の薬剤が、オーダー情報と相違し、誤っていることとなる。
このため、薬剤トレー３０は、ＳＴ２０で、その相違するデータを図９の薬剤トレー側表示装置３１４に表示して、薬剤師甲に注意を促すことができる。
【００６６】
一方、ＳＴ１９で、薬剤ケース１３０側のデータが，オーダー情報と一致した場合、ＳＴ２１で、正常に処理した旨の表示が、薬剤トレー側表示装置３１４に表示される。
このように、本実施の形態では、薬剤師甲が、患者用の薬剤トレー３０に薬剤ケース１３０を配置するだけで、当該薬剤ケース１３０がオーダー情報と合致した正しい薬剤等か否かを迅速且つ確実に判断することができる。
また、このとき、薬剤名のみならず、その薬剤重量や処方日の適否等も判断することができる。
【００６７】
図１５は、図１の看護師端末９０が、電子カルテ装置１０からオーダー情報を取得等する工程を示す概略フローチャートである。
先ず、看護師乙は、図１の看護師端末９０を腕等に装着して、電子カルテ装置１０の筐体等に、その手等を触れる。
すると、看護師側通信端末９１と電子カルテ側通信装置１１との間に、図５で説明したと同様の人体通信が行われ、看護師端末９０から電子カルテ装置１０に、オーダー情報取得要求を送信する。
なお、この際、看護師端末９０は、図８の看護師識別番号記憶部９５内に記憶されている自己の看護師識別番号を電子カルテ装置１０へ送信する。
次いで、ＳＴ３１で、電子カルテ装置１０は、看護師端末９０からオーダー情報取得要求が送信されたか否かを判断する。
【００６８】
ＳＴ３１で、電子カルテ装置１０が看護師端末９０からのオーダー情報取得要求を受信したと判断した場合は、ＳＴ３２へ進む。
ＳＴ３２では、図８の電子カルテ装置１０のオーダー情報検索決定処理部（プログラム）１５が、オーダー情報記憶部１６を参照して、当該看護師端末９０の看護師の看護師識別番号と関連付いているオーダー情報が存在するか否かを探す。
ところで、図８の電子カルテ装置１０のオーダー情報記憶部１６内では、患者毎の薬剤等処方データであるオーダー情報が、担当看護師の看護師識別番号と関連付けて記憶されている。
このため、ＳＴ３２で、電子カルテ装置１０は、アクセスしてきた当該看護師の看護師識別番号から、当該看護師が担当する患者のオーダー情報が存在する否かを容易に判断することができる。
【００６９】
ＳＴ３２で、図８のオーダー情報記憶部１６内に、当該看護師識別番号と関連付けられているオーダー情報があった場合は、ＳＴ３３へ進む。
ＳＴ３３では、電子カルテ装置１０が、看護師端末９０に、当該看護師識別番号と関連付けられている患者のオーダー情報を送信する。
したがって、看護師甲は、自己が担当する患者のオーダー情報のみを効率的に、自己の看護師端末９０に取得することができる。また、このオーダー情報は自動的に且つ間違いなく送信されるので、極めて信頼性の高い情報となる。
【００７０】
なお、本実施の形態では、当該看護師識別番号と関連付けられている患者のオーダー情報を送信するとしているが、アクセスした日又はその前日のオーダー情報に限り、送信する構成としてもよい。
【００７１】
一方、ＳＴ３２で、図８のオーダー情報記録部１６には、当該看護師の看護師識別番号と関連付けられているオーダー情報が存在しない場合は、ＳＴ３４へ進む。
すなわち、電子カルテ装置１０は、図８のオーダー情報記憶部１６内のオーダー情報のうち、いずれの看護師識別番号とも関連付けられていないオーダー情報を選択し、看護師端末９０へ送信する。
したがって、看護師甲は、自己が担当する患者のオーダー情報に近い情報を、選択的して看護師端末９０に取得することができることになり、自己の担当の患者のオーダー情報を探し易くなる。これは、看護師甲の負担を権限させることができる。
【００７２】
次いで、ＳＴ３５へ進む。ＳＴ３５では、看護師端末９０が、電子カルテ装置１０から送信されたオーダー情報を図８のオーダー情報記憶部９６に記憶すると共に、図３の看護師端末表示装置９４に表示する。
次いで、ＳＴ３６へ進む。ＳＴ３６では、図８の看護師端末９０のオーダー情報選択処理部（プログラム）９７が動作し、看護師甲が図８の看護師端末入力装置９３で、看護師端末表示装置９４に表示されているオーダー情報から特定の患者のオーダー情報を選択したか否かを判断する。
【００７３】
ＳＴ３６で、看護師端末入力装置９３で、オーダー情報が選択されると、ＳＴ３７へ進む。ＳＴ３７では、看護師端末入力装置９３で選択された選択オーダー情報（処方された薬剤名等）が，図８の看護師端末９０の選択済みオーダー情報記憶部９８に記憶される。
【００７４】
以上で、図１５の工程が終了するが、この図１５の工程では、看護師端末９０が、電子カルテ装置１０から簡易且つ正確に、所望の患者のオーダー情報を迅速に取得することができる。
また、従来は、電子カルテ装置からオーダー情報を取得するには、コンピュータの操作をマスターする必要があり、看護師に負担を強いていた。この点、本実施の形態では、看護師は、電子カルテ装置１０に接触するだけで、必要がオーダー情報を取得することができるので、極めて使い易い医療システム１となっている。
【００７５】
図１６は、薬剤トレー選択工程を示す概略フローチャートである。
図１６の工程で、自己が担当する所望の患者のオーダー情報を自己の看護師端末９０に取得した看護師乙は、次に、この患者のために処方された薬剤等を配置した薬剤トレー３０を取りに行く。このときに、看護師乙の看護師端末９０と薬剤トレー３０との間には、以下の通信等が行われる。
【００７６】
先ず、看護師端末９０を所持した看護師甲が、図４に示す、薬剤トレー３０を配置しているラック３１３に接触する。すると、ＳＴ４１で、薬剤トレー３０の薬剤トレー側通信装置３１と看護師側通信装置９１は、ラック３１３を介して、人体通信で、通信状態となる。
このとき、薬剤トレー３０が、図８の看護師端末９０の選択済みオーダー情報記憶部９８内の選択されたオーター情報を取得し、図９の薬剤トレー３０の受信選択済みオーダー情報記憶部３４に記憶する。
【００７７】
次いで、ＳＴ４２へ進む。ＳＴ４２では、図９の薬剤トレー３０のオーダー情報判断処理部（プログラム）３５が動作し、図９の薬剤トレー３０の当該薬剤トレー用オーダー情報記録部３６の「オーダー情報」と、受信選択済みオーダー情報記録部３４の「オーダー情報」を比較し、一致するか否か判断する。
【００７８】
すなわち、図９の薬剤トレー３０の当該薬剤トレー用オーダー情報記録部３６には、当該薬剤トレー３０に載置すべき薬剤ケース１３０等のオーダー情報が記憶されている。
したがって、薬剤トレー３０は、オーダー情報判断処理部（プログラム）３５により、看護師端末９０の「オーダー情報」と一致するかを精度良く判断することができる。
【００７９】
ＳＴ４２で、看護師端末９０の「オーダー情報」と薬剤トレー３０の「オーダー情報」が一致する場合、ＳＴ４３へ進む。ＳＴ４３では、該当する薬剤トレー３０の図３及び図４に示すランプ３１３が点灯する。
したがって、看護師乙は、ラック４００に触れるだけで、自己の担当する患者の薬剤ケース１３０が配置されている薬剤トレー３０を迅速に、且つ間違いなく認識することができる。このため、看護師乙の負担を大幅に軽減することができる。
【００８０】
一方、ＳＴ４２で、「オーダー情報」が一致しない場合は、ＳＴ４４へ進む。ＳＴ４４では、図８の看護師端末９０の看護師端末表示装置９４に、オーダー情報が相違する旨の表示が成される。以上で、本工程は終了する。
【００８１】
また、看護師乙は、患者端末５０や輸液ポンプ７０とも、上述の人体通信で、認証等を行い、必要なデータの送信等を行い輸液ポン７０を動作させることとなる。
【００８２】
本発明は、上述の各実施の形態に限定されない。本実施の形態では、医療機器として輸液ポンプ７０を例に説明したが、医療機器には、輸液ポンプ７０のみならず、シリンジポンプ等も含まれる。
【符号の説明】
【００８３】
１・・・薬剤トレー管理システム１、１０・・・電子カルテ装置、１１・・・電子カルテ側通信装置、１２・・・電子カルテ制御部、１３・・・電子カルテ入力装置、１４・・・電子カルテ表示装置、１５・・・オーダー情報検索決定処理部（プログラム）、１６・・・オーダー情報記憶部、３０・・・薬剤トレー、３１・・・薬剤トレー側通信装置、３２・・・薬剤トレー制御部、３３・・・薬剤トレー入力装置、３４・・・受信選択済みオーダー情報記憶部、３５・・・オーダー情報判断処理部（プログラム）、３６・・・当該薬剤トレー用オーダー情報記録部、５０・・・患者端末、５１・・・患者側通信装置、５２・・・患者端末制御部、７０・・・輸液ポンプ、７１・・・輸液ポンプ側通信装置、７２・・・輸液ポンプ制御部、９０・・・看護師端末、９１・・・看護師側通信端末、９２・・・看護師端末制御部、９３・・・看護師端末入力装置、９４・・・看護師端末表示装置、９５・・・看護師識別番号記憶部、９６・・・オーダー情報記憶部、９７・・・オーダー情報選択処理部（プログラム）、９８・・・選択済みオーダー情報記憶部、１１０・・・薬剤師端末、１１１・・・薬剤師側通信装置、１１２・・・薬剤師端末制御部、１１３・・・薬剤師端末入力装置、１１４・・・薬剤師識別番号記憶部、１１５・・・薬剤師側オーダー情報記憶部、１１６・・・薬剤師端末表示装置、１１７・・・薬剤師側オーダー情報選択処理部（プログラム）、１１８・・・選択済み薬剤師側オーダー情報記憶部、１３０・・・薬剤ケース、１４０・・・薬剤ＩＣタグ、１４１・・・薬剤ＩＣタグ制御部薬剤ＩＣタグ制御部、１４２・・・薬剤ＩＣタグ側通信装置、３００・・・ＩＣタグリーダ、３１０ａ、３１０ｂ、３１０ｃ、３１０ｄ・・・薬剤配置領域、３１１・・・トレー壁部、３１２・・・重量センサ、３１３・・・ランプ、３１４・・・薬剤トレー側表示装置、３１５・・・薬剤師識別番号判定処理部（プログラム）、３１６・・・薬剤師識別番号一覧情報記憶部、３１７・・・患者識別番号判定処理部（プログラム）、３１８・・・薬剤トレー側既登録患者識別番号記憶部、３１９・・・薬剤トレー側薬剤ＩＣタグ情報記憶部、３２０・・・薬剤判断処理部（プログラム）、４００・・・ラック
【図１】
2012203844.tif 000003
【図２】
2012203844.tif 000004
【図３】
2012203844.tif 000005
【図４】
2012203844.tif 000006
【図５】
2012203844.tif 000007
【図６】
2012203844.tif 000008
【図７】
2012203844.tif 000009
【図８】
2012203844.tif 000010
【図９】
2012203844.tif 000011
【図１０】
2012203844.tif 000012
【図１１】
2012203844.tif 000013
【図１２】
2012203844.tif 000014
【図１３】
2012203844.tif 000015
【図１４】
2012203844.tif 000016
【図１５】
2012203844.tif 000017
【図１６】
2012203844.tif 000018